(57)【要約】【課題】ケーブルの端子台への接続作業を容易に行えるようにした構造を有する電装ボックスを提供する。【解決手段】キャビネットの左右方向の一側に形成された収容スペースに、電装ボックス１０が配される。電装ボックス１０の上部に、ケーブル４６を接続する端子台４２が設けられる。電装ボックス１０の下部に、ケーブル４６の挿入口４７が形成され、挿入口４７は、端子台４２よりも一側に位置する。端子台４２は一側を向くように傾けて配置される。電装ボックス１０の下部から上部に向かって挿入されるケーブル４６は、一側から他側に寄っていくように斜めに配線される。【選択図】図８
2011058778.tif 000002
【特許請求の範囲】
【請求項１】
キャビネットに、ファンモータによって駆動されるファンと、ファンを取り囲むように配された熱交換器が内装され、熱交換器の左右方向の一側から冷媒配管の一部が突出し、ファンの左右方向の一側にファンモータが配され、キャビネットの左右方向の一側に形成された収容スペースに、電装部品が搭載された制御基板を内装した電装ボックスが配され、電装ボックスの上部に、ケーブルを接続する端子台が設けられ、端子台は
一側に傾けて配置され、電装ボックスの下部から上部に向かって挿入されるケーブルは、一側から他側に寄っていくように斜めに配線されたことを特徴とする空気調和機の室内機。
【請求項２】
電装ボックスの下部に、ケーブルの挿入口が形成され、挿入口は、端子台よりも一側に位置することを特徴とする請求項１記載の空気調和機の室内機。
【請求項３】
電装ボックスの左右方向の他側は熱交換器およびファンモータに対向し、一側はキャビネットの側面に対向し、電装ボックスの上部が下部よりも左右方向に幅広くなるように形成され、制御基板は、電装ボックスの上部に端子台よりも一側に設けられ、電装部品は制御基板の一側に搭載され、制御基板の上部が下部よりも他側に寄るように、制御基板は、端子台の傾斜に合わせて傾けて配置されたことを特徴とする請求項１または２記載の空気調和機の室内機。
【請求項４】
制御基板の上部に、発熱性の高い電装部品が配置されたことを特徴とする請求項３記載の空気調和機の室内機。
【発明の詳細な説明】
【技術分野】
【０００１】
本発明は、熱交換器とファンを内装したキャビネットをコンパクト化した空気調和機の室内機に関する。
【背景技術】
【０００２】
空気調和機の室内機には、ファンおよび熱交換器が内装される。熱交換器の下方にファンが配され、熱交換器はファンを取り囲むように設けられる。熱交換器の左右方向の一側には、冷媒配管の一部が突出し、ファンを駆動するファンモータも一側に設けられる。また、キャビネット内部の一側にある収容スペースに、電装ボックスが配される。
【０００３】
収容スペースには、冷媒配管の一部やファンモータが入り込んでいる。収容スペース内に入り込む部材に応じて、電装ボックスの構造が制約を受ける。特許文献１に、電装ボックス内の余剰スペースを狭めるように傾斜した傾斜面部が設けられ、蓋と傾斜面部との間隔が広くなった収容部に、張出量が大きい電装部品が配置され、蓋と傾斜面部との間隔が狭くなった収容部に、張出量が小さい電装部品が配置されたことが記載されている。
【先行技術文献】
【特許文献】
【０００４】
【特許文献１】特許第４１８７０３１号公報
【発明の概要】
【発明が解決しようとする課題】
【０００５】
ところで、電装ボックスには、室外機に接続されたケーブルを接続するための端子台が設けられている。端子台は、電装ボックスの上部に配される。室外機からのケーブルは、収容スペース内を後側から前側に引き回され、電装ボックスの挿入口から挿入されて端子台に接続される。
【０００６】
収容ボックス内に入り込んだ冷媒配管やファンモータを避けるために、電装ボックスは複雑な構造となる。そのため、ケーブルの挿入口と端子台とが、鉛直方向に一直線上に配置できず、左右方向にずれた配置になることがある。このように、挿入口に対して端子台がずれていると、ケーブルを曲げながら接続しなければならず、接続作業が困難となる。
【０００７】
本発明は、上記に鑑み、ケーブルの端子台への接続作業を容易に行えるようにした構造を有する電装ボックスを備えた空気調和機の室内機の提供を目的とする。
【課題を解決するための手段】
【０００８】
本発明は、キャビネットに、ファンモータによって駆動されるファンと、ファンを取り囲むように配された熱交換器が内装され、熱交換器の左右方向の一側から冷媒配管の一部が突出し、ファンの左右方向の一側にファンモータが配され、キャビネットの左右方向の一側に形成された収容スペースに、電装部品が搭載された制御基板を内装した電装ボックスが配され、電装ボックスの上部に、ケーブルを接続する端子台が設けられ、端子台は一側に傾けて配置され、電装ボックスの下部から上部に向かって挿入されるケーブルは、一側から他側に寄っていくように斜めに配線されたものである。
【０００９】
端子台が一側に向かって傾けられることにより、下から見上げたとき、端子台が見やすくなる。そのため、電装ボックスの下側から挿入したケーブルを端子台に接続する作業を容易に行える。
【００１０】
電装ボックスの下部に、ケーブルの挿入口が形成され、挿入口が端子台よりも一側に位置する。この場合、挿入口と端子台とは左右方向のずれが生じるが、端子台が傾けられることにより、ケーブルを少しだけ折り曲げるだけで斜めに配線することができる。そのため、ケーブルを大きく折り曲げる必要がなくなり、作業が容易になる。
【００１１】
電装ボックスの左右方向の他側は熱交換器およびファンモータに対向し、一側はキャビネットの側面に対向し、電装ボックスの上部が下部よりも左右方向に幅広くなるように形成され、制御基板は、電装ボックスの上部に端子台よりも一側に設けられ、電装部品は制御基板の一側に搭載される。制御基板の上部が下部よりも他側に寄るように、制御基板は、端子台の傾斜に合わせて傾けて配置されることが好ましい。
【００１２】
制御基板と端子台とが同じように傾けられるので、前後方向において制御基板と端子台とは重ならない。そのため、電装ボックスから制御基板を取り出すとき、端子台が邪魔にならない。
【００１３】
電装ボックス内において、上部のスペースが下部のスペースよりも広くなる。そこで、制御基板の上部に、発熱性の高い電装部品が配置されることが好ましい。発熱性の高い電装部品を上部にまとめて配置することができ、他の電装部品への熱の影響を減らせる。すなわち、発熱性の高い電装部品から発生した熱は電装ボックスの上部に溜まりやすい。電装ボックスの下部に配置された電装部品は、熱の影響を受けず、正常に動作する。
【発明の効果】
【００１４】
本発明によると、収容スペースに入り込んだファンモータや冷媒配管によって電装ボックスの構造が制約を受け、ケーブルを挿入するとき端子台とケーブルの挿入口とが左右方向にずれた位置にあると、ケーブルの接続がしにくくなるが、端子台を一側に傾けることにより、ケーブルをスムーズに挿入でき、ケーブルの接続作業が容易になる。これに伴い、電装ボックスを限られた収容スペースに装着できるような構造にすることができ、収容スペースを拡張する必要がなくなり、キャビネットのコンパクト化に寄与できる。しかも、電装部品から発生する熱の影響が他の電装部品に及ばないようにでき、電装部品の動作の信頼性を高めることができる。
【図面の簡単な説明】
【００１５】
【図１】本発明の空気調和機の室内機を斜め下から見たときの斜視図
【図２】室内機を斜め上から見たときの斜視図
【図３】室内機の断面図
【図４】運転中の室内機を斜め下から見たときの斜視図
【図５】キャビネットの一部を分解した室内機の斜視図
【図６】前面パネルを外した室内機の斜視図
【図７】電装ボックスの斜視図
【図８】電装ボックスの正面図
【図９】キャビネットの一部を取り外した室内機の斜視図
【図１０】キャビネットの一部を取り外した室内機および仕切部材の斜視図
【図１１】ドレンホースを接続した状態の室内機の断面図
【図１２】ファンモータの固定状態を示した室内機の断面図
【図１３】ファンモータのロック部材を示す図であって、（ａ）はロック状態のときを示す図、（ｂ）はロック解除状態のときを示す図
【図１４】ファンをキャビネットから外したときの室内機の斜視図
【図１５】室内機を後側から見たときの左右のドレン口の位置を示す図
【図１６】他側のドレン口を示す室内機の断面図
【図１７】ジョイントの斜視図
【発明を実施するための形態】
【００１６】
本実施形態の空気調和機の室内機を図１〜４に示す。室内機は、熱交換器１およびファン２を備え、これらがキャビネット３に内装されている。キャビネット３は、高さと奥行きがほぼ同じ箱状に形成され、上面の前側が緩やかに傾斜し、前面の下部から下面にかけて湾曲している。キャビネット３は、室内の壁の上部に、天井との間に隙間ができるように取り付けられる。このように、キャビネット３は、奥行きに比べて高さが低く抑えられているので、斜め下から見たとき、コンパクトに見える。
【００１７】
図２に示すように、キャビネット３の上面において、左右方向に長く開口が形成され、この開口が吸込口４とされる。キャビネット３の前面下部の湾曲部分に吹出口５が形成される。キャビネット３の内部には、吸込口４から吹出口５に至る送風路６が形成され、送風路６に、熱交換器１とファン２とが配される。吸込口４と熱交換器１との間に、フィルタ７が着脱自在に設けられる。なお、図２では、フィルタの図示を省略している。
【００１８】
熱交換器１は、逆Ｖ形に配置され、ファン２の上方を取り囲む。ファン２は、キャビネット３の内部において下側に位置し、ファン２の下端は熱交換器１の下端よりも低い。ファン２の位置が下げられているので、キャビネット３の全高が低く抑えられる。
【００１９】
図５に示すように、キャビネット３内部では、左右方向の一側に収容スペース８が形成される。収容スペース８に、電装ボックス１０が設けられる。電装ボックス１０には、表示パネル１１が装着されている。熱交換器１の左右方向の一側には、外部配管に接続できるように冷媒配管１２の一部が突出している。ファン２の左右方向の一側に、ファンモータ１３が設けられている。冷媒配管１２およびファンモータ１３は、収容スペース８に入り込んでいる。なお、本実施形態では、室内機を正面から見て右側を左右方向の一側とし、左側を左右方向の他側とする。
【００２０】
キャビネット３は、背面板２０、前面パネル２１、左カバー２２、右カバー２３、前グリル２４によって構成される。背面板２０に、熱交換器１、ファン２および電装ボックス１０が着脱自在に取り付けられる。左右のカバー２２，２３は、背面板２０に着脱自在に取り付けられる。左カバー２２は、キャビネット３の左側の空間を覆う。右カバー２３は、収容スペース８を覆う。前面パネル２１は、左カバー２２および右カバー２３に着脱自在に取り付けられ、左右のカバー２２，２３の前面および熱交換器１の前方を覆う。前グリル２４は、左カバー２２および右カバー２３に着脱自在に取り付けられ、吸込口４の前側を覆う。
【００２１】
右カバー２３は、収容スペース８の上面、前面、下面および一方の側面を囲む。左カバー２２も同様にキャビネット３の左右方向の他側にある空間を囲む。右カバー２３により、電装ボックス１０は隠される。右カバー２３の前面に、操作窓２５が形成され、図６に示すように、操作窓２５に電装ボックス１０が臨んでいる。前面パネル２１を外した状態において、操作窓２５を通じて外部から配線等の作業が行える。右カバー２３の前面下部には、表示窓２６が形成され、表示窓２６に表示パネル１１が嵌り込み、表示パネル１１を外部から視認できる。
【００２２】
キャビネット３の上面には、図２に示すように、左右のカバー２２，２３の着脱用の爪２７が設けられている。ユーザは、キャビネット３の上面と天井との隙間に手を入れて、爪２７を押し下げると、左右のカバー２２，２３が背面板２０の上面から外れる。
【００２３】
吹出口５には、横ルーバ３０が開閉自在に設けられる。横ルーバ３０は、軸周りに回動自在に支持され、ルーバモータ３１によって横ルーバ３０は開閉される。横ルーバ３０の上流側に、縦ルーバ３２が設けられる。縦ルーバ３２が左右方向に回動する。縦ルーバ３２により、左右方向の風向きが変えられる。横ルーバ３０および縦ルーバ３２は、ユニット化されて、ルーバユニットを構成する。ルーバユニットは、背面板２０に着脱自在に取り付けられる。空気調和機の運転中、図４に示すように、縦ルーバ３０が開き、吹出口５が開放される。停止中は、縦ルーバ３０は閉じ、吹出口５が塞がれる。なお、図３，４中、３３は整流板である。
【００２４】
吸込口４は、左右のカバー２２，２３、背面板２０の上面および前面パネル２１によって囲まれた開口である。したがって、吸込口４にはグリルが設けられていない。前グリル２４は、前から見たときにフィルタ７が見えないようにするための目隠しである。吸込口４にはグリルがないので、空気の流れが乱れることなく空気を吸い込むことができ、吸込効率がよくなる。
【００２５】
吸込口４に、フィルタガイド部材３４が前後方向に沿って設けられる。フィルタガイド部材３４の後端が背面板２０に取り付けられ、前端がルーバユニットに取り付けられ、フィルタガイド部材３４は、キャビネット３に着脱自在とされる。このフィルタガイド部材３４により、吸込口４は左右に２分割される。なお、吸込口４は、３分割以上としてもよく、あるいは分割せずに１つの開口のままにしてもよい。
【００２６】
各吸込口４に対して、フィルタ７がそれぞれ設けられる。フィルタ７は、図３に示すように、熱交換器１の前方および上方を覆う。フィルタ７の後端が背面板２０の上面に押えられ、左右の側端が左右のカバー２２，２３の一方とフィルタガイド部材３４とに押えられる。ユーザは、キャビネット３の前面からフィルタ７を着脱する。
【００２７】
前面パネル２１は、キャビネット３に対して開閉自在とされる。前面パネル２１の上縁が左右のカバー２２，２３およびフィルタガイド部材３４に回動自在に支持され、前面パネル２１が開くと、キャビネット３の前面が開放される。フィルタ７は、キャビネット３の前面から着脱される。左右のカバー２２，２３およびフィルタガイド部材３４に、フィルタ７がキャビネット３から飛び出さないように装着位置まで案内するガイド３５が設けられる。挿入されたフィルタ７の両側端がガイド３５に案内され、フィルタ７は装着位置に達する。また、背面板２０の上面に設けられたガイド３６により、フィルタ７の後端が吸込口４からはみ出さないように押えられる。
【００２８】
空気調和機では、室内機に対して図示しない室外機が室外に設置されている。室外機には、圧縮機、熱交換器、四方弁、室外ファン等が内装され、これらと室内側の熱交換器とによって冷凍サイクルが形成される。そして、冷凍サイクルを制御する制御装置が室内機に設けられる。マイコンからなる制御装置は、ユーザの指示および室温や外気温を検出する温度センサ等の各種のセンサの検出信号に基づいて、冷凍サイクルを制御し、冷暖房運転を行う。このとき、制御装置は、冷暖房運転に応じて、ファンモータ１３の駆動および各ルーバ３０，３２の開閉を制御する。
【００２９】
制御装置は、電装ボックス１０に内蔵される。電装ボックス１０は、図７、８に示すように、電装部品４０を搭載した制御基板４１と、ケーブル、コード等を接続するための端子台４２と、背面板２０に取り付けられるベース部材４３とを有する。電装ボックス１０は、収容スペース８に前後方向に沿って縦置きされる。
【００３０】
電装ボックス１０の左右方向の他側は、熱交換器１およびファンモータ１３に対向する。ファンモータ１３および熱交換器１の冷媒配管１２は、収容スペース８に入り込んでいる。電装ボックス１０の形状は、上部が下部よりも左右方向に幅広い形状とされる。電装ボックス８の下部は一側に寄っている。そして、電装ボックス１０の上部に、制御基板４１および端子台４２が配置される。電装ボックス１０の下部は幅狭になるので、収容スペースに配置された電装ボックス１０はファンモータ１３を回避できる。したがって、収容スペース８を左右方向に広げる必要がなくなり、キャビネット３のコンパクト化を図れる。
【００３１】
ベース部材４３は、背面板２０にねじ止めされ、ベース部材４３の上部の一側に、制御基板４１が固定される。制御基板４１の一側に、電装部品４０が搭載される。電装部品４０は、制御装置を構成するＣＰＵ、トランス、コンデンサ、ノイズフィルタ等である。電装部品４０は、一側に向かって張り出している。電装部品４０を隠す蓋４４が制御基板４１に被せられている。
【００３２】
端子台４２は、ベース部材４３の上部の他側に取り付けられる。収容スペース８の前側の上部には、冷媒配管１２が存在しない。そのため、冷媒配管１２の前方には空きスペースがあり、端子台４２はこのスペースに配置される。したがって、端子台４２は、冷媒配管１２の前側に位置するとともに、制御基板４１よりも前側に位置する。
【００３３】
ベース部材４３の下部は、ケーブルやコードを保持する配線案内部４５とされる。配線案内部４５は、後側下部から前側上部の端子台４２に向かってケーブル等を案内する。例えば、室内機と室外機とを接続するＶＶＦケーブル４６が、ベース部材４３の下部の後側に形成された挿入口４７から配線案内部４５を通って、端子台４２のコネクタに接続される。このようなケーブル４６は、キャビネット３の背面板２０から右カバー２３の前側まで引き回され、電装ボックス１０の下部から上部に向かって挿入される。端子台４２の下端に、ケーブル４６が差し込まれるコネクタ孔配置面４８が形成される。コネクタ孔配置面４８には、複数のコネクタ孔４９が形成され、この孔４９を通じてケーブル４６がコネクタに接続される。なお、電装ボックス１０がキャビネット３に装着されたとき、コネクタ孔配置面４８は、電装ボックス１０の前側に位置して、下を向いている。
【００３４】
ここで、上部に配置される端子台４２は他側寄りに位置するが、下部の挿入口４７は、収容スペース８に入り込んだファンモータ１３を避けるために、一側寄りにずらす必要が生じ、端子台４２と挿入口４７との位置関係に左右方向のずれが生じる。そこで、ケーブル４６を接続するときの作業性を考慮して、端子台４２のコネクタ孔配置面４８が左右方向において一側に傾くように、端子台４２は配置される。端子台４２の下端の他側は一側よりも低い位置になり、端子台４２は、斜めになる。挿入口４７から挿入されたケーブル４６は、配線案内部４５に沿って一側から他側に寄っていくように斜めに配線される。
【００３５】
ケーブル４６の接続作業は、キャビネット３を壁に取り付けた状態で前面パネル２１および右カバー２３を外して行われる。ケーブル４６を電装ボックス１０に挿入して、端子台４２のコネクタに接続するとき、端子台４２の下端が一側に傾いている、言い換えれば、端子台４２のコネクタ孔配置面４８が挿入口４７の方向を向くようにしているので、端子台４２が水平になっている状態に比べて、見上げたときにコネクタの位置が見やすくなり、作業性がよくなる。特に、ケーブル４６がＶＶＦケーブルの場合、幅方向に折り曲げにくい。端子台４２が一側に傾いていることにより、端子台４２が傾かずに水平になっている場合に比べて、ケーブル４６を幅方向に折り曲げる角度を小さくできる。そのため、端子台４２と挿入口４７とが左右方向にずれていても、ケーブル４６を挿入口４７からほぼ真っ直ぐに挿入するだけでケーブル４６をコネクタに導くことができ、作業性がよくなる。
【００３６】
制御基板４１は、端子台４２の傾斜に合わせて左右方向に傾けて配置される。制御基板４１の上部が下部よりも他側に寄るように、制御基板４１は、電装ボックス１０において傾斜している。すなわち、制御基板４１と端子台４２とは平行になり、正面から見て、制御基板４１と端子台４２とが左右方向に並んでいる。制御基板４１と端子台４２とは前後方向にずれているが、互いにオーバーラップしない。そのため、後側の制御基板４１を電装ボックス１０から取り出すとき、端子台４２は邪魔にならず、制御基板４１を容易に前側に引き出すことができる。そして、制御基板４１が傾斜することにより、制御基板４１と蓋４４とに囲まれた空間において、上部が下部よりも広くなる。そこで、制御基板４１の上部には、トランス、コンデンサ、ノイズフィルタ等の背の高い電装部品４０が配置され、下部には、背の低い電装部品４０が配置される。トランス、コンデンサ、ノイズフィルタ等は発熱性の高い電装部品４０である。これらが上部に配置されることにより、発生した熱は電装ボックス１０の上部に溜まり、ＣＰＵ等の下部の電装部品４０に対する熱の影響を低減できる。
【００３７】
ところで、熱交換器１の冷媒配管１２の一部は、左右方向の一側から突出して、室外機に接続するために後側に引き出されている。収容スペース８内における冷媒配管１２は、ファンモータ１３に対向するとともに電装ボックス１０にも対向している。
【００３８】
図９、１０に示すように、冷媒配管１２とファンモータ１３とを仕切るとともに、冷媒配管１２と電装ボックス１０とを仕切る仕切部材５０が設けられる。仕切部材５０は、熱交換器１を支持して、キャビネット３に取り付けるものである。熱交換器１の一側に、仕切部材５０が取り付けられ、仕切部材５０が背面板２０に取り付けられる。
【００３９】
仕切部材５０は、冷媒配管１２とファンモータ１３との間に位置する側板５１と、冷媒配管１２と電装ボックス１０との間に位置する露カバー５２とから構成され、側板５１と露カバー５２とが一体的に形成されている。側板５１は熱交換器１の一側にねじ止めされる。露カバー５２が背面板２０にねじ止めされる。
【００４０】
図１１に示すように、側板５１の上面５３は、冷媒配管１２の下方に位置して、ファンモータ１３の上方を覆う。上面５３は、ファンモータ１３の外周に沿うような湾曲した面に形成され、ファンモータ１３よりも前側に延びるとともに後側にも延びる。熱交換器１の前側の下方には、ドレンパン５４が設けられ、上面の前端はこのドレンパン５４に達する。また、熱交換器１の後側の下方にも、ドレンパン５５が設けられ、上面の後端は後側のドレンパン５５に達する。前側のドレンパン５４は、ルーバユニットに一体的に形成される。なお、ファンモータ１３の外周には、防振、断熱のために被覆材５６が装着されている。ファンモータ１３の一側端部は被覆材５６から一側に突出している。側板５１の上面５３は、被覆材５６を覆うように配される。
【００４１】
露カバー５２は、側板５１の一側に設けられ、側板５１の上面５３の一側端部から上方向に向かって立ち上がった壁として形成される。露カバー５２の上端は、図９に示すように、冷媒配管１２の最上端の冷媒配管１２よりも上側に位置する。そのため、露カバー５２により、電装ボックス１０の他側は冷媒配管１２から遮蔽される。
【００４２】
空気調和機が運転されると、熱交換に伴って露が発生し、冷媒配管１２に付着する。露はファン２の風によって飛散するおそれがある。また、冷媒配管１２の周囲の部材が冷気に触れて結露が生じる。しかし、仕切部材５０の露カバー５２により、電装ボックス１０は冷媒配管１２から遮蔽されるので、電装ボックス１０には露が着かない。また、側板５１により、ファンモータ１３も冷媒配管１２から遮蔽され、ファンモータ１３に露は着かない。露カバー５２に付着した露は流れ落ちて、側板５１の上面５３に達し、露は上面５３を伝って、前側あるいは後側に流れ、前後のドレンパン５４，５５に流れ込む。このように、冷媒配管１２の近傍で発生した露は、ドレンパン５４に回収される。なお、後側のドレンパン５５から前側のドレンパンに水が流れるように前後のドレンパン５４，５５は連通している。
【００４３】
また、図１２に示すように、仕切部材５０は、ファンモータ１３をキャビネット３に固定するためのモータ押えとして機能する。側板５１の一側に、ファンモータ１３に接触する押え部５７が設けられる。押え部５７は、上面５３の一側端部から下方向に突出するように形成される。押え部５７の下面は、ファンモータ１３の外周に沿うように円弧状に形成される。押え部５７は、ファンモータ１３の外周のうち、前側の上部の外周に直接接触する。
【００４４】
押え部５７とともにファンモータ１３を固定するためのモータ押え部材５８およびロック部材５９が設けられる。モータ押え部材５８は、背面板２０から前側に突出するように形成され、露カバー５２の後側下方に位置する。モータ押え部材５８は、ファンモータ１３の外周のうち、後側全体の外周に直接接触する。
【００４５】
ロック部材５９は、露カバー５２の前側下方に位置し、ファンモータ１３の外周のうち、前側の下部の外周に直接接触する。図１３に示すように、ロック部材５９は、背面板２０に設けられたリブに回動自在に支持される。図１３（ａ）のように、ロック部材５９に設けられた爪がリブに引っ掛けられたとき、ロック部材５９はファンモータ１３に接触して、ファンモータ１３が保持される。図１３（ｂ）のように、爪がリブから外されると、ロック部材５９は回動可能となり、ファンモータ１３から離れる。ロック部材５９がファンモータ１３から離れたとき、図１４に示すように、ファン２をキャビネット３から取り外すことができる。なお、ファン２を着脱するとき、仕切部材５０にねじ止めされたルーバユニットを予め取り外しておく。
【００４６】
上記のように、１つの仕切部材５０により、露受け、露飛散防止、露の回収およびモータ押えといった複数の機能を実現することができる。したがって、部品点数を少なくでき、省スペース化を図れる。また、予め仕切部材５０を熱交換器１に取り付けた状態で熱交換器１をキャビネット３に装着することができ、キャビネット３に装着された熱交換器１に側板５１や露カバー５２を別々に取り付ける場合に比べて、取付作業が簡単になり、作業時間も短縮できる。
【００４７】
上記の室内機では、キャビネット３の前側にドレンパン５４が左右方向にわたって設けられ、ドレンパン５４に溜まった水はドレンホース６０により外部に排出される。図１５に示すように、ドレン口６１，６２は、ドレンパン５４の左右方向の両側に形成される。一方のドレン口６１、６２にドレンホース６０が接続され、ドレンホース６０はキャビネット３内部の後側を通って室外に導かれる。
【００４８】
ところで、キャビネット３の左右方向の一側では、冷媒配管１２やファンモータ１３が配され、収容スペース８のスペースを占めている。一方、他側では、ファンモータ１３のような大きな突出物は存在しない。
【００４９】
図１６に示すように、左右方向の他側のドレン口６１は、キャビネット３の前後方向のほぼ中央でファン２の回転軸６３の下方に位置する。なお、ファン２の他側では、回転軸６３が背面板２０に回転自在に軸受されている。一側のドレン口６２は、図１１に示すように、ファンモータ１３の斜め下前、すなわちファンモータ１３の前側でファンモータ１３の下端とほぼ同じ高さに位置している。各ドレン口６１，６２は、後側に向かって、斜め下方向に突き出ている。
【００５０】
このように、他側のドレン口６１は、一側のドレン口６２よりも後側に位置し、しかも下方に位置する。そのため、キャビネット３を後側から見たとき、図１５に示すように、他側のドレン口６１を直接見ることができる。一側のドレン口６２はファンモータ１３に遮られ、ドレン口６２が見にくい状態にある。
【００５１】
室内機の設置場所に応じて、左右のドレン口６１，６２のうち、一方のドレン口が使用される。一側のドレン口６２を使用するとき、ドレンホース６０を接続するためにジョイント６５が用いられる。他側のドレン口６１を使用するときには、ジョイント６５は用いられず、ドレン口６１にドレンホース６０が直接接続される。なお、使用されないドレン口６２には、キャップが被せられる。
【００５２】
ジョイント６５は、ドレン口６２とドレンホース６０との間に介在する。ジョイント６５の入口６６は、ドレン口６２の外周に嵌め込まれ、ドレンパン５４にねじ止めされる。ジョイント６５の出口６７にドレンホース６０が嵌め込まれ、ドレンホース６０がジョイント６５にねじ止めされる。
【００５３】
ジョイント６５は、図１７に示すように、直管の出口側が少し曲げられた形状とされる。ジョイント６５の出口６７は、直管部分よりも上方向に向く。したがって、ジョイント６５がドレン口６２に接続されたとき、ジョイント６５の入口側は斜め下方向に向く。ジョイント６５の出口６７も斜め下方向には向いているが、傾斜が緩やかになっている。すなわち、ジョイント６５の入口６６の傾斜角度は、ドレン口６２の傾斜角度と同じであり、出口６７の傾斜角度よりも急とされる。これにより、最初に勢いよくドレン水が流れるため、排水性がよくなる。
【００５４】
ドレン口６２に接続されたジョイント６５は、ファンモータ１３の外周に沿うような状態となり、ファンモータ１３の下方を回り込んでファンモータ１３の後側に達する。キャビネット３を後側から見たとき、ジョイント６５の出口６７を直接見ることができる。また、ジョイント６５の出口６７の傾斜角度は緩やかになって、出口６７が見やすくなる。したがって、ジョイント６５にドレンホース６０を容易に接続することができる。そして、ジョイント６５の入口６６の傾斜角度が急になっているので、ドレンパン５４に溜まった水は出口６７に向かって流れやすくなる。
【００５５】
ここで、キャビネット３内でのファンモータ１３の位置が下がっても、ジョイント６５を使用することにより、ドレンパン５４からファンモータ１３の下方を通って排水することができる。したがって、ファンモータ１３の位置を下げることが可能となり、キャビネット３の高さを低くでき、キャビネット３をコンパクト化することができる。しかも、一側のドレン口６２の位置に応じて、ジョイント６５の傾斜を変えればよく、ドレンパン５４の位置を自由に設定することができ、さらにキャビネット３のコンパクト化を図れる。
【００５６】
なお、本発明は、上記実施形態に限定されるものではなく、本発明の範囲内で上記実施形態に多くの修正および変更を加え得ることは勿論である。ジョイントを湾曲した管にして、ジョイントの前側の曲率が後側の曲率よりも小さくなるようにする。入口の傾斜角度が出口の傾斜角度よりも急になり、ジョイントは、ファンモータの外周に沿って回り込んで配される。
【符号の説明】
【００５７】
１    熱交換器
２    ファン
３    キャビネット
４    吸込口
５    吹出口
７    フィルタ
８    収容スペース
１０    電装ボックス
１２    冷媒配管
１３    ファンモータ
４０    電装部品
４１    制御基板
４２    端子台
４３    ベース部材
４５    配線案内部
４６    ケーブル
４７    挿入口
５０    仕切部材
５１    側板
５２    露カバー
５３    上面
５４    ドレンパン
５７    押え部
６０    ドレンホース
６１    ドレン口
６２    ドレン口
６５    ジョイント
６６    入口
６７    出口
【図１】
2011058778.tif 000003
【図２】
2011058778.tif 000004
【図３】
2011058778.tif 000005
【図４】
2011058778.tif 000006
【図５】
2011058778.tif 000007
【図６】
2011058778.tif 000008
【図７】
2011058778.tif 000009
【図８】
2011058778.tif 000010
【図９】
2011058778.tif 000011
【図１０】
2011058778.tif 000012
【図１１】
2011058778.tif 000013
【図１２】
2011058778.tif 000014
【図１３】
2011058778.tif 000015
【図１４】
2011058778.tif 000016
【図１５】
2011058778.tif 000017
【図１６】
2011058778.tif 000018
【図１７】
2011058778.tif 000019